(57)【要約】【課題】小規模なプールの昇降床装置として好適な簡易な構造であり、製造コストやメンテナンスコストを大幅に低減することができ、しかも、シリンダを脱着方式とすることによりプールの昇降床の最下降高さを可及的に小さくすることができるプール昇降床装置を提供する。【解決手段】プール昇降床装置を、プール等の開口部上下方向に沿って移動可能な昇降床と、該昇降床を支持する装置と、を有して構成し、上記昇降床には、該昇降床を昇降させる着脱式のシリンダにエアーを供給するシリンダ取付孔を開閉自在に配設し、かつ、該シリンダ取付孔の近傍には索条を通す索条孔を開設し、該索条孔に通された索条は、該索条を引張することで、支持装置の軸に配設されたラッチの係合状態を解除するように配設して構成した。【選択図】図１
2007063765.tif 000002
【特許請求の範囲】
【請求項１】
プール等の開口部上下方向に沿って移動可能な昇降床と、該昇降床を支持する装置と、を有して構成され、該支持装置は、固定床側に取り付けられた下部アームと、昇降床の下部に取り付けられた上部アームと、該下部アームと上部アームを軸を介して屈伸自在に軸支して構成したものを一のアームとし、この一のアームを対向させて軸が衝突しないように配置して一の支持脚とし、この一の支持脚を所要距離離間させて上記昇降床を支持し、上記各支持脚の屈曲方向が同じ一のアームの軸を連結部材で連結すると共に、上記昇降床には、該昇降床を昇降させる着脱式シリンダにエアーを供給するシリンダ取付孔を開閉自在に配設し、かつ、該シリンダ取付孔の近傍には索条を通す索条孔を開設し、該索条孔に通された索条は、該索条を引張することで、上記各軸の一箇所の軸に配設されたラッチの係合状態を解除するように配設されていることを特徴とするプール昇降床装置。
【発明の詳細な説明】
【技術分野】
【０００１】
この発明は、プールに昇降可能に設置され、プールの水深を変えることができるプール昇降床装置に係り、特に、シリンダを脱着方式とすることによりプールの昇降床の最下降高さを可及的に小さくすることができるプール昇降床装置に関する。
【背景技術】
【０００２】
プール昇降床を昇降させてプールの水深を変えられるようにしたプールは、例えば、特許文献１等に示すように多く提案されている。
【０００３】
【特許文献１】特開平８−０２８０７４号公報
【発明の開示】
【発明が解決しようとする課題】
【０００４】
しかしながら、特許文献１に示す装置は、所謂パンタグラフ方式の駆動装置であり、該パンタグラフ機構の伸縮作動を、モータによって駆動するように構成されているため、構成が複雑で、コスト高となるため、小規模なプールには不向きであり、また、従来の駆動装置としてシリンダを用いたものも提案されているが、シリンダが昇降床と固定床とに固定されているため、伸縮時においても、ある程度のストロークが必要となるため、特に小規模なプールの場合、昇降床の最下降高さが大きくなる、という問題を有していた。
【０００５】
この発明は、かかる現状に鑑み創案されたものであって、その目的とするところは、小規模なプールの昇降床装置として好適な簡易な構造であり、製造コストやメンテナンスコストを大幅に低減することができ、しかも、シリンダを脱着方式とすることによりプールの昇降床の最下降高さを可及的に小さくすることができるプール昇降床装置を提供しようとするものである。
【課題を解決するための手段】
【０００６】
上記目的を達成するため、請求項１に記載の発明にあっては、プール昇降床装置を、プール等の開口部上下方向に沿って移動可能な昇降床と、該昇降床を支持する装置と、を有して構成され、該支持装置は、固定床側に取り付けられた下部アームと、昇降床の下部に取り付けられた上部アームと、該下部アームと上部アームを軸を介して屈伸自在に軸支して構成したものを一のアームとし、この一のアームを対向させて軸が衝突しないように配置して一の支持脚とし、この一の支持脚を所要距離離間させて上記昇降床を支持し、上記各支持脚の屈曲方向が同じ一のアームの軸を連結部材で連結すると共に、上記昇降床には、該昇降床を昇降させる着脱式シリンダにエアーを供給するシリンダ取付孔を開閉自在に配設し、かつ、該シリンダ取付孔の近傍には索条を通す索条孔を開設し、該索条孔に通された索条は、該索条を引張することで、上記各軸の一箇所の軸に配設されたラッチの係合状態を解除するように配設されていることを特徴とする。
【発明の効果】
【０００７】
請求項１に記載の発明にあっては、プール昇降床装置を、プール等の開口部上下方向に沿って移動可能な昇降床と、該昇降床を支持する装置と、を有して構成され、該支持装置は、固定床側に取り付けられた下部アームと、昇降床の下部に取り付けられた上部アームと、該下部アームと上部アームを軸を介して屈伸自在に軸支して構成したものを一のアームとし、この一のアームを対向させて軸が衝突しないように配置して一の支持脚とし、この一の支持脚を所要距離離間させて上記昇降床を支持し、上記各支持脚の屈曲方向が同じ一のアームの軸を連結部材で連結すると共に、上記昇降床には、該昇降床を昇降させる着脱式シリンダにエアーを供給するシリンダ取付孔を開閉自在に配設し、かつ、該シリンダ取付孔の近傍には索条を通す索条孔を開設し、該索条孔に通された索条は、該索条を引張することで、上記各軸の一箇所の軸に配設されたラッチの係合状態を解除するように配設て構成したので、小規模なプールの昇降床装置として好適な簡易な構造であり、製造コストやメンテナンスコストを大幅に低減することができる。
【発明を実施するための最良の形態】
【０００８】
以下、添付図面に示す発明の実施例に基づき、この発明を詳細に説明する。
【０００９】
図１は、この発明の実施例に係るプール昇降床装置の構成を示す説明図を、図２は同プール昇降床装置の昇降床が図１に示す位置よりも下降した状態を示す説明図を、図３は同プール昇降床装置の昇降床が図２に示す位置よりも下降した状態を示す説明図を、図４は同プール昇降床装置の昇降床が最も下降した状態を示す説明図を、図５は同昇降床を支持する上部アームと下部アームを連結した状態を示す拡大説明図を、図６は同上下部アームの連結軸部の一方端部を示す拡大説明図を、図７は同上下部アームの連結軸部の他方端部を示す拡大説明図を、図８は同上下部アームの連結軸部に配設されたラッチの解除機構を示す説明図を、図９は同ラッチの解除機構を簡略化して示す説明図を夫々示している。
【００１０】
本実施例に係るプールの昇降床装置は、プール１の開口部上下方向に沿って移動可能で水中における浮力が略零となるように空気が封入された昇降床２と、該上記昇降床２を上下方向に沿つて昇降させる昇降装置１０と、昇上記降床２を支持するパンタグラフ方式の支持装置２０と、から構成されている。
【００１１】
昇降床２は、この実施例では、特に図示はしないが、多数の角筒材よりなるアルミニウム製、ステンレス製あるいは合成樹脂製の床材と、これら床材の下に配置されて床材を固定支持する矩形に組み立てられた支持枠と、から構成されている。
【００１２】
多数の床材は互いに平行に並べられて矩形に組み立ててボルトナツト等により支持枠の上面に固着される。
【００１３】
角筒状の各床材の中空内部には空気が充填されてその両端に嵌合されたゴムキヤツプの栓体により密封されうるように構成されている。このように構成することで、水中で昇降床２に浮力を与えてその重量を軽減することができ、特に、床材の一部にのみ空気を充填して栓体により密封するとともに、残部の床材の栓体を外しておくことで、昇降床２の水中重量を適宜調節することができる。この場合、昇降床２の全体重力と浮力とが釣り合うようにすればその水中重量が零になり、昇降床２を水中で昇降させる際に要する駆動力を最小にすることができる。勿論、上記浮力の調整は、特に図示はしないが、フロートを昇降床２の下面に適数着脱自在に取り付けることで調整してもよい。
【００１４】
一方、上記支持枠は、上記複数枚の床材と、水平方向に相隣接して配設された床材を連結する複数個の連結部材と、から構成されている。この床材の構成素材としては、アルミニユーム材、合成樹脂材あるいはステンレス材等の本来的に軽量な材料、あるいは軽量化された材料を用いる。このように形成された床材は、各種の公知の連結部材によって所望面積を有するように連結される。
【００１５】
このように構成される昇降床２の大きさは、取り付けられるプール１の開口面積と略同じ平面積に形成される。
【００１６】
このように構成された昇降床２を上下作動させる昇降装置を構成するエアーシリンダ１０は、多段伸縮式の着脱自在なエアーシリンダで構成され、該エアーシリンダ１０へのシリンダ取付孔１１が、上記昇降床２に配設されている。従って、昇降床２を上昇させる場合には、エアーホース（図示せず）を上記シリンダ取付孔１１に連通接続し、エアーを供給しながら昇降床２を徐々に上昇させ、所望高さ位置に達した時点でエアーの供給を止めることで、昇降床２を所望の高さ位置に容易にセットすることができる。尚、多段伸縮式で着脱自在なエアーシリンダ１０の構成は、公知のこの種のエアーシリンダと同様であるので、その詳細な説明をここでは省略する。
【００１７】
支持装置２０は、プール１の固定床３側に取り付けられたチャンネル材で形成された下部アーム２１と、昇降床２の下部に取り付けられチャンネル材で形成された上部アーム２２と、該下部アーム２１と上部アーム２２とを軸２３を介して屈伸自在に軸支して構成した一のアーム２４Ａと、この一のアーム２４Ａと同様の構成からなる２４Ｂとを対向させて軸２３，２３が衝突しないように配置して一の支持脚２０Ａとし、この一の支持脚２０Ａ，２０Ａを所要距離離間させて上記昇降床２を支持すると共に、上記各支持脚２０Ａ，２０Ａの屈曲方向が同じ一のアーム２４Ａ，２４Ａ及び２４Ｂ，２４Ｂの軸２３，２３を連結部材２５Ａ，２５Ｂで連結すると共に、上記一の軸２３（この実施例では図１の右側の支持脚２３Ａの他のアーム２４Ｂの軸２３）には、図８と図９に示すラッチ２６が組み込まれており、該ラッチ２６は、昇降床２に荷重が作用したときに、該昇降床２が不用意に下降しないよう、上記他のアーム２４Ｂの上下部アーム２１，２２をロックするように構成されている。
【００１８】
また、このラッチ２６の係合状態を解除する装置は、上記昇降床２のシリンダ取付孔１１の近傍に開設されたワイヤー挿通孔に挿通されたワイヤー２８と、該ワイヤー２８の一端部に連結されたラッチ解除レバー２９と、このラッチ解除レバー２９を回動操作することで、上記ワイヤー２８が引張され、上記ラッチ２６を構成するラッチギア２６Ａの係合溝２６Ｂからラッチ固定ピン２６Ｃを後退させて上記係合状態を解除するように構成されている。尚、上記ラッチ固定ピン２６Ｃは、常態においてラッチギア２６Ａの係合溝２６Ｂと係合する方向に付勢されている。
【００１９】
さらに、この実施例では、チャンネル材で形成された上記上下部アーム２１，２２に楕円形の貫通穴２５を開設して屈伸作動時における水の抵抗を軽減し、屈伸作動を小さな力で行うことができるように構成されている。
【００２０】
この実施例に係るプール昇降床装置は、以上のように構成されているので、昇降床２を上昇させる場合には、着脱式エアーシリンダ１を昇降床２のシリンダ取付孔１１に連通接続して取付、図示しないエアーホースを連通接続し、シリンダ取付孔１１にエアーを供給することで、エアーシリンダ１０が徐々に伸張し、これに伴い昇降床２は上昇する。そして、昇降床２が所望の位置まで上昇した時点でエアーの供給を停止し、エアーホースを取り外すことで、昇降床２を所望の位置に保持させることができる。この上昇作動時のとき、ラッチ２６の回動は、係合溝２６Ｂの形状によってラッチ固定ピン２６Ｃと係合しないので、昇降床２の上昇作動が阻止される心配はない。
【００２１】
次に、昇降床２を下降させる場合には、エアーシリンダ１０を取り外し、シリンダ取付孔１１を開放し、ラッチ解除レバー２９を回動させてワイヤー２８を引張することで、ラッチ２６の係合状態が解除され、シリンダ取付孔１１からエアーが抜けることで、エアーシリンダ１０が収縮して昇降床２が下降する。これにより、昇降床２の下方にはエアーシリンダ１０がない状態となるため、昇降床２の最下降高さを可及的に小さくすることができ、小規模なプールの深さを有効利用することができる。
【００２２】
このように、この実施例に係るプール昇降床装置にあっては、昇降床２の昇降を、従来のようなモータを用いることなく、エアーシリンダ１０へのエアーの供給と、ラッチ解除機構によって簡易に行なうことができるので、小規模なプールの昇降装置として好適であり、製造コストは勿論、メンテナンスコストも大幅に低減することができると共に、シリンダを脱着方式とすることによりプールの昇降床の最下降高さを可及的に小さくすることができる、という優れた効果が得られる。
【００２３】
尚、上記実施例では、この発明をプールの昇降床装置に適用した場合を例にとり説明したが、この発明にあってはこれに限定されるものではなく、例えば、浴槽の昇降装置にも適用することができる。
【図面の簡単な説明】
【００２４】
【図１】この発明の実施例に係るプール昇降床装置の構成を示す説明図である。
【図２】同プール昇降床装置の昇降床が図１に示す位置よりも下降した状態を示す説明図である。
【図３】同プール昇降床装置の昇降床が図２に示す位置よりも下降した状態を示す説明図である。
【図４】同プール昇降床装置の昇降床が最も下降した状態を示す説明図である。
【図５】同昇降床を支持する上部アームと下部アームを連結した状態を示す拡大説明図である。
【図６】同上下部アームの連結軸部の一方端部を示す拡大説明図である。
【図７】同上下部アームの連結軸部の他方端部を示す拡大説明図である。
【図８】同上下部アームの連結軸部に配設されたラッチの解除機構を示す説明図である。
【図９】同ラッチの解除機構を簡略化して示す説明図である。
【符号の説明】
【００２５】
１  プール
２  昇降床
３  固定床
１０  エアーシリンダ（昇降装置）
１１  シリンダ取付孔
２０  支持装置
２１  下部アーム
２２  上部アーム
２３  軸
２４Ａ，２４Ｂ  一のアーム
２５Ａ，２５Ｂ  連結部材
２６  ラッチ
２６Ａ  ラッチギア
２６Ｂ  係合溝
２６Ｃ  ラッチ固定ピン
２８  ワイヤー
２９  ラッチ解除レバー
【図１】
2007063765.tif 000003
【図２】
2007063765.tif 000004
【図３】
2007063765.tif 000005
【図４】
2007063765.tif 000006
【図５】
2007063765.tif 000007
【図６】
2007063765.tif 000008
【図７】
2007063765.tif 000009
【図８】
2007063765.tif 000010
【図９】
2007063765.tif 000011